【事件の表示】
　特願２０１６−５１９３０５「端末装置、集積回路、および、無線通信方法」拒絶査定不服審判事件〔平成２７年１１月１９日国際公開、ＷＯ２０１５／１７４５０４〕について、次のとおり審決する。
【結　論】
　本件審判の請求は、成り立たない。
【理　由】
第１　手続の経緯
　本願は、２０１５年（平成２７年）５月１４日（パリ条約による優先権主張外国庁受理、２０１４年５月１６日　米国）を国際出願日とする出願であって、その手続の経緯は以下のとおりである。
　平成２９年　９月２２日付け　拒絶理由通知書
　平成２９年１１月２０日　　　意見書、手続補正書の提出
　平成２９年１２月　８日付け　拒絶理由通知書（最後）
　平成３０年　４月１３日　　　意見書、手続補正書の提出
　平成３０年　６月１２日付け　平成３０年　４月１３日にされた手続補正
　　　　　　　　　　　　　　　についての補正の却下の決定、拒絶査定
　平成３０年　９月１９日　　　拒絶査定不服審判の請求、手続補正書の提　　　　　　　　　　　　　　　出
第２　平成３０年９月１９日にされた手続補正についての補正の却下の決定
［補正の却下の決定の結論］
　平成３０年９月１９日にされた手続補正（以下、「本件補正」という。）を却下する。
［理由］
１．補正の概要
　本件補正は、平成２９年１１月２０日にされた手続補正により補正された特許請求の範囲の請求項４に記載された
「　端末装置の通信方法であって、
　第１の情報に基づくサブフレームが属する第１のサブフレームセットと、前記サブフレームとは異なる第２の情報に基づくサブフレームが属する第２のサブフレームセットとの２つのサブフレームセットに関する設定情報を受信し、
　前記設定情報に基づいて設定された前記２つのサブフレームセットのうちの何れかにおけるチャネル状態情報の報告要求を含む下りリンク制御情報が検出された場合には、チャネル状態情報参照リソースから導出される前記チャネル状態情報をサブフレームｎで送信し、
　前記チャネル状態情報参照リソースは、１つの下りリンクサブフレーム（ｎ−ｎＣＱＩ　ｒｅｆ）または１つのスペシャルサブフレーム（ｎ−ｎＣＱＩ　ｒｅｆ）で定義され、
　前記２つのサブフレームセットが設定された場合において、前記ｎＣＱＩ　ｒｅｆの値は、サブフレーム（ｎ−ｎＣＱＩ　ｒｅｆ）が下りリンクサブフレームまたはスペシャルサブフレームとして定義される場合において４以上で最小の値であり、前記サブフレーム（ｎ−ｎＣＱＩ　ｒｅｆ）は前記下りリンク制御情報が検出されたサブフレーム以降のサブフレームである、通信方法。」
との発明（以下、「本願発明」という。）を、本件補正により補正された特許請求の範囲の請求項３に記載された
「　端末装置の通信方法であって、
　第１の情報に基づくサブフレームが属する第１のサブフレームセットと、前記サブフレームとは異なる第２の情報に基づくサブフレームが属する第２のサブフレームセットとの２つのサブフレームセットに関する設定情報を受信し、
　前記設定情報に基づいて設定された前記２つのサブフレームセットのうちの何れかにおけるチャネル状態情報の報告要求を含む下りリンク制御情報が検出された場合には、チャネル状態情報参照リソースから導出される前記チャネル状態情報をサブフレームｎで送信し、
　前記チャネル状態情報参照リソースは、１つの下りリンクサブフレーム（ｎ−ｎＣＱＩ　ｒｅｆ）または１つのスペシャルサブフレーム（ｎ−ｎＣＱＩ　ｒｅｆ）で定義され、
　前記２つのサブフレームセットが設定された場合において、前記ｎＣＱＩ　ｒｅｆの値は、サブフレーム（ｎ−ｎＣＱＩ　ｒｅｆ）が
有効な
有効な
り、
　
前記有効な下りリンクサブフレームおよび前記有効なスペシャルサブフレームは、以下の条件を少なくとも満たす：
(i)送信モード９および１０以外の送信モードにおいて、ＭＢＳＦＮサブフレームではない；
(ii)7680/(15000×2048)秒と同じ、または、それより短い長さのＤｗＰＴＳフィールドを含まない；
(iii)前記端末装置に対して設定された測定ギャップに含まれない；および
(iv)前記チャネル状態情報の報告に対応するサブフレームセットの要素である、
通信方法。」
との発明（以下、「本件補正発明」という。下線は、補正箇所を示す。）に補正することを含むものである。
２．補正の適否
（１）新規事項の有無、シフト補正の有無、補正の目的要件
　上記補正は、本願発明の「前記２つのサブフレームセットが設定された場合において、前記ｎＣＱＩ　ｒｅｆの値は、サブフレーム（ｎ−ｎＣＱＩ　ｒｅｆ）が下りリンクサブフレームまたはスペシャルサブフレームとして定義される場合において４以上で最小の値であり、前記サブフレーム（ｎ−ｎＣＱＩ　ｒｅｆ）は前記下りリンク制御情報が検出されたサブフレーム以降のサブフレームである、」における「下りリンクサブフレームまたはスペシャルサブフレーム」について、「有効な下りリンクサブフレームまたは有効なスペシャルサブフレーム」に限定するとともに、「前記有効な下りリンクサブフレームおよび前記有効なスペシャルサブフレームは、以下の条件を少なくとも満たす：
(i)送信モード９および１０以外の送信モードにおいて、ＭＢＳＦＮサブフレームではない；
(ii)7680/(15000×2048)秒と同じ、または、それより短い長さのＤｗＰＴＳフィールドを含まない；
(iii)前記端末装置に対して設定された測定ギャップに含まれない；および
(iv)前記チャネル状態情報の報告に対応するサブフレームセットの要素である、」との発明特定事項を追加して限定する補正であるから、特許請求の範囲の減縮を目的とする補正に該当する。
　また、当該補正は、特許法第１７条の２第３項（新規事項）、及び第４項（シフト補正）の規定に違反するものではない。
（２）独立特許要件
　上記補正は、特許請求の範囲の減縮を目的とするものであるから、本件補正発明が特許出願の際独立して特許を受けることができるものであるのか否かについて、以下検討する。
ア　本件補正発明
　本件補正発明は、上記「１．」で示した本件補正発明のとおりのものと認める。
イ　引用例等の記載事項及び引用発明等
（ア）引用発明１
　原査定の拒絶理由で引用されたTexas Instruments，Views on CSI measurement for LTE TDD eIMTA（当審仮訳：ＬＴＥ　ＴＤＤ　ｅＩＭＴＡのためのＣＳＩ測定の考え方）、3GPP TSG-RAN WG1♯76 R1-140530、２０１４年　２月　１日アップロード、URL:http://www.3gpp.org/ftp/tsg_ran/WG1_RL1/TSGR1_76/Docs/R1-140530.zip（以下、「引用例１」という。）には、以下の事項が記載されている。（下線は、当審が付与。）
ａ　「1. 　Introduction 
The following agreements have been reached on CSI measurement for TDD eIMTA:
- In DL, 
up to two subframe sets can be UE-specifically signaled
（当審仮訳：
１．はじめに
　ＴＤＤ　ｅＩＭＴＡのためのＣＳＩ測定について次の合意に達した。
−　ＤＬでは、サブフレームの２つのタイプ及び／又はサブフレームで見られる干渉の２つのタイプに対して、ＣＳＩ測定／報告を別にすることができるように、（サービングセル毎に）
最大２つのサブフレームセットがＵＥ固有にシグナリングされ得る。）
ｂ　「2. 　Overview of legacy CSI measurement/feedback
The legacy CSI definitions and procedures are summarized below:
・　
CSI report in subframe n is a hypothetical PDSCH TBS that can be received with 10% BLER in the CSI reference resource, where the CSI reference resource is defined as 
a single subframe n - n
CQI,ref
 in the time domain.
　　　- CSI reference resource is where CSI is valid for and can be tested, not necessarily where CSI is measured.
CSI reference resource does not have to include CSI-RS or CSI-IM.
CSI reference resource shall be a valid downlink subframe. 
CSI reference resource in the time domain corresponds to 
　　- Periodic CSI on PUCCH:   the latest valid downlink subframe n - nCQI,ref where nCQI,ref ≧4  
　　- Aperiodic CSI on PUSCH: the subframe where UL grant triggering CSI report is received. 
For Rel.10 feICIC, enhanced interference measurement is achieved through restricted CSI measurement subframes. Specifically, two downlink subframe subsets are defined which enable separate interference measurement and feedback for two distinct interference conditions. In particular:
A CSI reference resource belongs to either subframe set CCSI,0 or CCSI,1
CSI subframe set for the CSI reference resource is configured by higher layer.
・　Periodic CSI feedback:　CSI periodicity and offset are separately configured for each subframe subset by RRC higher layer signaling. 
・　Aperiodic CSI feedback:　One CSI report includes CSI for one subframe subset, whose CSI reference resource lies in the subframe carrying the triggering UL grant.」（１葉１５行−２葉２行）
（当審仮訳：
２．レガシーＣＳＩ測定／フィードバックの概要
　レガシーＣＳＩの定義と手順を以下に要約する：
　・　
サブフレームｎのＣＳＩ報告は、ＣＳＩ参照リソースにおける＜１０％のＢＬＥＲで受信し得る仮想のＰＤＳＣＨのＴＢＳであり、ここで、ＣＳＩ参照リソースは、
時間領域で１つのサブフレームｎ−ｎ
ＣＱＩ，ｒｅｆ
として定義される。
　　　−ＣＳＩ参照リソースは、ＣＳＩが有効であり、テストされ得る場所であり、必ずしもＣＳＩが測定される場所である必要はない。
　・　ＣＳＩ参照リソースは、ＣＳＩ−ＲＳ又はＣＳＩ−ＩＭを含む必要はない。
　・　
ＣＳＩ参照リソースは、有効な下りリンクサブフレームとすべきである。
　・　時間領域のＣＳＩ参照リソースは、次の事項に相当する。
　　　−ＰＵＣＣＨ上の周期的ＣＳＩ：最新の有効な下りリンクサブフレームｎ−ｎＣＱＩ，ｒｅｆ、ここでｎＣＱＩ，ｒｅｆ≧４
　　　−ＰＵＳＣＨ上の非周期的ＣＳＩ：ＣＳＩレポートをトリガするＵＬグラントを受信するサブフレーム。
　Ｒｅｌ．１０のｆｅＩＣＩＣにおいて、制限されたＣＳＩ測定サブフレームにより、干渉マネジメントを強化することが達成される。具体的には、２つの異なる干渉条件のための干渉マネジメント及びフィードバックを分けることを可能とする２つの下りリンクサブフレームサブセットが定義される。特に、
　・　ＣＳＩ参照リソースは、サブフレームセットＣＣＳＩ，０又はＣＣＳＩ，1のいずれかに属する。
　・　ＣＳＩ参照リソースのためのＣＳＩサブフレームセットは、上位レイヤーによって構成される。
　・　周期的ＣＳＩフィードバック：ＣＳＩの周期とオフセットは、ＲＲＣ上位レイヤシグナリングによって、各サブフレームに対して個別に構成される。
　・　非周期的ＣＳＩフィードバック：１つのＣＳＩ報告は１つのサブフレームサブセットのためのＣＳＩを含み、そのＣＳＩ参照リソースは、トリガーするＵＬグラントを運ぶサブフレームに位置する。）
ｃ　「3.　Discussion on TDD eIMTA
3.1.　
Subframe set
For a UE configured in TDD eIMTA, a downlink subframe can be either a static DL subframe or a flexible DL subframe (e.g. signaled by dynamic L1 reconfiguration). As these two types of subframes experience different interference, separate CSI measurement and feedback is beneficial.
（当審仮訳：
３．ＴＤＤ　ｅＩＭＴＡについての議論
３．１．
サブフレームセット
　
ＴＤＤ　ｅＩＭＴＡで構成されるＵＥにとって、下りリンクサブフレームは、（例えば、動的Ｌ１再構成によってシグナリングされる）スタティックＤＬサブフレームかフレキシブルＤＬサブフレームのいずれかになり得る。これらの２つのタイプのサブフレームは、異なる干渉を受けるため、ＣＳＩ測定とフィードバックを別にすることが有益である。
ｄ　「3.2.　
Aperiodic CSI reporting
For feICIC, one UL grant triggers one CSI report for the subframe subset that includes the UL grant. For TDD eIMTA, since UL HARQ timing follows the SIB1 UL/DL configuration and UL grant can only be transmitted in 
a static DL subframe (e.g. subframe subset 0)
flexible DL subframe (e.g. subframe set 1)
（中略）
・　Alt 2: CSI request field in UL grant determines the CSI measurement subframe set to be reported.
　・　Alt 2-1: 
An additional bit is added to the A-CSI request field in UL grants to indicate the CSI measurement subframe set to be reported.
（当審仮訳：
３．２　
非周期的　ＣＳＩ報告
　ｆｅＩＣＩＣにおいて、ＵＬグラントがＵＬグラントを含むサブフレームサブセットのための１つのＣＳＩ報告をトリガーする。ＴＤＤ　ｅＩＭＴＡにおいて、ＵＬ　ＨＡＲＱのタイミングは、ＳＩＢ１のＵＬ／ＤＬ構成に従い、ＵＬグラントは、
スタティックＤＬサブフレーム（例えば、サブフレームサブセット０）
フレキシブルＤＬサブフレーム（例えば、サブフレームセット１）
（中略）
・　Ａｌｔ２：ＵＬグラント内のＣＳＩ要求フィールドが報告されるＣＳＩ測定サブフレームセットを決定する。
　・　Ａｌｔ２−１：
報告されるＣＳＩ測定サブフレームセットを示すために、ＵＬグラント内のＡ−ＣＳＩ要求フィールドに追加の１ビットが追加される。）
ｅ　「For UE configured with TM 1-9, the CSI reference resource for aperiodic CSI is the DL subframe carrying the CSI-triggering grant. If the UE is configured in TM10, the CSI reference resource is the latest valid downlink subframe no later than the CSI-triggering grant that satisfies a minimum CSI processing timing budget defined in 36.213. For TDD eIMTA, due to the agreement of UL HARQ timing following the SIB-1 signalled DL/UL subframe configuration, the CSI reference resource requires slight modification:
If the UE is configured in TM 1-9
　○　I
f CSI for the subframe subset containing the UL grant is triggered, the CSI reference resource remains unchanged, e.g., subframe carrying the UL grant.
　○　
If CSI for the subframe subset not containing the UL grant is triggered, the CSI reference resource is the latest valid downlink subframe in the subframe subset for which CSI is triggered, earlier than the subframe carrying the UL grant.
If the UE is configured in TM10
　○　The CSI reference resource shall reside in the subframe subset for which the CSI is triggered, no later than the subframe carrying the UL grant. The exact location is FFS, dependent on the CSI processing timing budget and number of CSI-processes. 
Proposal:
・　
For eIMTA, restrict the CSI reference resource to be located in the corresponding subframe subset for each CSI report.
（当審仮訳：
　ＴＭ１−９で構成されたＵＥにおいて、非周期的ＣＳＩのためのＣＳＩ参照リソースは、ＣＳＩトリガリンググラントを運ぶＤＬサブフレームである。ＵＥがＴＭ１０で構成される場合、ＣＳＩ参照リソースは、３６．２１３で定義される最小ＣＳＩ処理タイミングバジェットを満たす、ＣＳＩトリガリンググラントよりも遅くない最新の有効な下りリンクサブフレームである。ＴＤＤ　ｅＩＭＴＡにおいて、ＵＬＨＡＲＱタイミングがＳＩＢ１でシグナルされたＤＬ／ＵＬサブフレーム構成に従うとの合意のため、ＣＳＩ参照リソースは、わずかな変更を必要とする。
　
ＴＭ１−９で構成されたＵＥの場合
　○　ＵＬグラントを含むサブフレームサブセットに対するＣＳＩがトリガーされた場合、ＣＳＩ参照リソースは変更されないまま、例えば、ＵＬグラントを運ぶサブフレームとなる。
　○　ＵＬグラントを含まないサブフレームサブセットに対するＣＳＩがトリガーされた場合、ＣＳＩ参照リソースは、ＵＬグラントを運ぶサブフレームよりも早い、ＣＳＩがトリガーされるサブフレームサブセット内の最新の有効な下りリンクサブフレームである。
　ＵＥがＴＭ１０で構成される場合
　○　ＣＳＩ参照リソースは、ＵＬグラントを運ぶサブフレームよりも遅くない、ＣＳＩがトリガーされるサブフレームサブセットに存在すべきである。正確な位置は、ＦＦＳであり、ＣＳＩ処理タイミングバジェットとＣＳＩプロセスの数に依存する。
提案
・　
ｅＩＭＴＡにおいて、ＣＳＩ参照リソースを、各ＣＳＩ報告に対応するサブフレームサブセットに配置されるように制限する。
　上記記載及び当業者の技術常識を考慮すると、引用例１には、次の技術的事項が記載されている。
（ａ）上記ｄの記載によれば、引用例１には、非周期的ＣＳＩ報告を行う方法が記載されているといえ、非周期的ＣＳＩ報告を行う主体がＵＥであることは、当業者にとって明らかである。さらに、上記ｃの記載によれば、ＵＥがＴＤＤ　ｅＩＭＴＡで構成され、上記ｅの記載によれば、ＵＥがＴＭ１−９で構成されることを含むといえる。
　したがって、引用例１には、「ＴＭ１−９かつＴＤＤ　ｅＩＭＴＡで構成されたＵＥにより、非周期的ＣＳＩ報告を行う方法」が記載されているといえる。
（ｂ）上記ｄの記載によれば、スタティックＤＬサブフレームがサブフレームサブセット０であり、フレキシブルＤＬサブフレームがサブフレームセット１であるといえる。ここで、上記ｃに、サブフレームセットの説明として、異なる干渉を受けるスタティックＤＬサブフレームとフレキシブルＤＬサブフレームは、ＣＳＩ測定とフィードバックを別にすると記載されていることから見て、サブフレームサブセットは、サブフレームセットの表記揺れであると解される。さらに、上記ａの記載によれば、最大２つのサブフレームセットがＵＥ固有にシグナリングされることから、ＵＥが２つのサブフレームセットの情報を受信するといえる。
　したがって、引用例１には、ＵＥが「スタティックＤＬサブフレームがサブフレームセット０であり、フレキシブルＤＬサブフレームがサブフレームセット１であるとの２つのサブフレームセットの情報を受信する」ことが記載されているといえる。
（ｃ）上記ｄの記載によれば、ＵＬグラント内にＡ−ＣＳＩ要求フィールドがあるといえ、Ａ−ＣＳＩ要求フィールドにＣＳＩの報告を要求することを示す情報が格納されることは技術常識であるから、ＵＬグラントは、ＣＳＩ要求を含むといえる。また、Ａ−ＣＳＩ要求フィールドの追加の１ビットは、報告されるＣＳＩ測定サブフレームセットを示すといえる。そのため、ＵＬグラントは、報告されるＣＳＩ測定サブフレームセットを示すＣＳＩ要求を含むといえる。さらに、ＵＬグラントは、ＵＥにより検出されるものであることが技術常識である。してみると、ＵＥにより、報告されるＣＳＩ測定サブフレームセットを示すＣＳＩ要求を含むＵＬグラントを検出するといえる。
　上記ｂの記載によれば、ＵＥは、ＣＳＩ報告をサブフレームｎで送信するといえる。ここで、ＣＳＩ報告は、ＣＳＩ要求を含むＵＬグラントが検出された場合に、ＵＥにより送信されることが当業者にとって明らかである。さらに、上記ｂにも、ＣＳＩ報告は、ＣＳＩ参照リソースのＢＬＥＲ（ブロックエラー率）が１０％未満となるための仮想のＰＤＳＣＨのＴＢＳを示すものである旨記載されているように、ＣＳＩ報告がＣＳＩ参照リソースから導出されるものであることは、技術常識である。
　したがって、引用例１には、ＵＥにより、「報告されるＣＳＩ測定サブフレームセットを示すＣＳＩ要求を含むＵＬグラントが検出された場合には、ＣＳＩ参照リソースから導出されるＣＳＩ報告をサブフレームｎで送信する」ことが記載されているといえる。
（ｄ）上記ｂにも、ＣＳＩ参照リソースは、１つのサブフレームｎ−ｎＣＱＩ，ｒｅｆとして定義されること、有効な下りリンクサブフレームとすべきであることが記載されているように、ＣＳＩ参照リソースは、１つの有効な下りリンクサブフレームｎ−ｎＣＱＩ，ｒｅｆで定義されることは技術常識である。
　また、上記ｅの記載によれば、ＴＭ１−９で構成されたＵＥの場合であって、ＵＬグラントを含むサブフレームセットに対するＣＳＩがトリガーされた場合、ＣＳＩ参照リソースは、ＵＬグラントを運ぶサブフレームであり、ＵＬグラントを含まないサブフレームセットに対するＣＳＩがトリガーされた場合、ＣＳＩ参照リソースは、ＵＬグラントを運ぶサブフレームよりも早い最新の有効な下りリンクサブフレームである。してみると、ＴＭ１−９で構成されたＵＥの場合、ＣＳＩ参照リソースは、ＵＬグラントを運ぶサブフレーム以前の最新の有効な下りリンクサブフレームであるといえる。
　さらに、上記ｅの記載によれば、ＣＳＩ参照リソースを、各ＣＳＩ報告に対応するサブフレームセット内に配置されるように制限するから、ＣＳＩ参照リソースは、各ＣＳＩ報告に対応するサブフレームセットに配置されるといえる。
　したがって、引用例１には、ＴＭ１−９で構成されたＵＥの場合、「ＣＳＩ参照リソースは、１つの有効な下りリンクサブフレームｎ−ｎＣＱＩ，ｒｅｆで定義され、ＵＬグラントを運ぶサブフレーム以前の最新の有効な下りリンクサブフレームであり、各ＣＳＩ報告に対応するサブフレームセットに配置される」ことが記載されているといえる。
　以上を総合すると、引用例１には、次の発明（以下、「引用発明１」という。）が記載されていると認められる。
「　ＴＭ１−９かつＴＤＤ　ｅＩＭＴＡで構成されたＵＥにより、非周期的ＣＳＩ報告を行う方法であって、
　スタティックＤＬサブフレームがサブフレームセット０であり、フレキシブルＤＬサブフレームがサブフレームセット１であるとの２つのサブフレームセットの情報を受信し、
　報告されるＣＳＩ測定サブフレームセットを示すＣＳＩ要求を含むＵＬグラントが検出された場合には、ＣＳＩ参照リソースから導出されるＣＳＩ報告をサブフレームｎで送信し、
　前記ＣＳＩ参照リソースは、１つの有効な下りリンクサブフレームｎ−ｎＣＱＩ，ｒｅｆで定義され、ＵＬグラントを運ぶサブフレーム以前の最新の有効な下りリンクサブフレームであり、各ＣＳＩ報告に対応するサブフレームセットに配置される、
非周期的ＣＳＩ報告を行う方法。」
（イ）引用発明２
　原査定の拒絶理由で引用されたQualcomm Incorporated、Remaining details of CSI measurement and reporting in eIMTA（当審仮訳：ｅＩＭＴＡにおけるＣＳＩ測定及び報告の残りの詳細）、3GPP TSG-RAN WG1♯76b R1-141434、２０１４年　３月２２日　アップロード、URL:http://www.3gpp.org/ftp/tsg_ran/WG1_RL1/TSGR1_76b/Docs/R1-141434.zip，（以下、「引用例２」という。）には、以下の事項が記載されている。（下線は、当審が付与。）
「2.2. 
Aperiodic CSI measurement and reporting in TM 1-9
（中略）
From the above discussion it can be concluded that for a UE configured in TM 1-9 and TDD eIMTA there is no need to move the CSI reference resource to a subframe earlier than the triggering subframe for aperiodic CSI reporting which may cause serious power consumption issue. 
Proposal 2: 
For a UE configured in TM 1-9 and TDD eIMTA, the CSI reference resource is the valid DL subframe in the latest subframe no later than subframe n-4 and no earlier than the subframe containing the aperiodic CSI trigger, and corresponding to the triggered CSI subframe set.
（当審仮訳：
２．２　
ＴＭ１−９における非周期的ＣＳＩ測定及び報告
（中略）
　
上記の検討から、ＴＭ１−９かつＴＤＤ　ｅＩＭＴＡで構成されたＵＥの場合、深刻な電力消費問題を引き起こすおそれのある、非周期的ＣＳＩ報告のためのトリガーするサブフレームよりも早いサブフレームへＣＳＩ参照リソースを移動させることは、必要ない。
提案２：
ＴＭ１−９かつＴＤＤ　ｅＩＭＴＡで構成されたＵＥの場合、ＣＳＩ参照リソースは、サブフレームｎ−４より遅くなく、非周期的ＣＳＩトリガーを含むサブフレームより早くなく、トリガーされたＣＳＩサブフレームセットに関連する最新のサブフレームの有効なＤＬサブフレームである。
　したがって、引用例２には、次の発明（以下、「引用発明２」という。）が記載されていると認められる。
「　ＴＭ１−９かつＴＤＤ　ｅＩＭＴＡで構成されたＵＥの場合、深刻な電力消費問題を引き起こさないように、ＣＳＩ参照リソースをサブフレームｎ−４より遅くなく、非周期的ＣＳＩトリガーを含むサブフレームより早くなく、トリガーされたＣＳＩサブフレームセットに関連する最新のサブフレームの有効なＤＬサブフレームとする、
非周期的ＣＳＩ測定及び報告を行う方法。」
（ウ）周知事項
ａ　３ＧＰＰの技術仕様書である3GPP TS36.213 V11.6.0、２０１４年　３月２１日アップロード、URL:http://www.3gpp.org/ftp/Specs/archive/36_series/36.213/36213-b60.zip（以下、「周知例１」という。）には、以下の事項が記載されている。（下線は当審が付与。）
「7.2.3 Channel Quality Indicator (CQI) definition
（中略）
The CSI reference resource for a serving cell is defined as follows:
（中略）
A downlink subframe in a serving cell shall be considered to be valid if:
　・it is configured as a downlink subframe for that UE, and
　・in case multiple cells with different uplink-downlink configurations are aggregated and the UE is not capable of simultaneous reception and transmission in the aggregated cells, the subframe in the primary cell is a downlink subframe or a special subframe with the length of DwPTS more than 7680・Ts, and
　・
except for transmission mode 9 or 10, it is not an MBSFN subframe, and
　・
it does not contain a DwPTS field in case the length of DwPTS is 7680・Ts and less, and
　・
it does not fall within a configured measurement gap for that UE, and
　・for periodic CSI reporting, it is an element of the CSI subframe set linked to the periodic CSI report when that UE is configured with CSI subframe sets, and
　・for a UE configured in transmission mode 10 with multiple configured CSI processes, and aperiodic CSI reporting for a CSI process, it is an element of the CSI subframe set linked to the downlink subframe with the corresponding CSI request in an uplink DCI format, when that UE is configured with CSI subframe sets for the CSI process.」（７９−８０ページ）
（当審仮訳：
７．２．３　チャネル品質インジケータ（ＣＱＩ）の定義
（中略）
　サービングセルのＣＳＩ参照リソースは次のように定義される：
（中略）
　
以下の場合、サービングセルの下りリンクサブフレームが有効であるとみなされるべき：
　・そのＵＥにとって、下りリンクサブフレームとして構成されている、かつ、
　・異なる上りリンク−下りリンク構成のマルチセルがアグリゲートされていて、アグリゲートされたセルでＵＥが同時に送受信できない場合、プライマリセルのサブフレームは下りリンクサブフレーム又は７６８０・Ｔｓを越える長さのＤｗＰＴＳを有するスペシャルサブフレームである、かつ
　・
送信モード９又は１０以外の場合、ＭＢＳＦＮサブフレームでない、かつ
　・
ＤｗＰＴＳが７６８０・Ｔｓ以下の場合、ＤｗＰＴＳフィールドを含まない、かつ
　・そ
のＵＥにとって、構成された測定ギャップ内に収まらない、かつ
　・周期的ＣＳＩ報告において、ＵＥがサブフレームセットで構成される場合、周期的ＣＳＩ報告にリンクされたＣＳＩサブフレームセットの要素である、かつ
　・構成されたＣＳＩプロセスが複数であって、１のＣＳＩプロセスが非周期的ＣＳＩ報告である送信モード１０で構成されたＵＥにおいて、そのＵＥがそのＣＳＩプロセスのためのサブフレームセットで構成される場合、アップリンクＤＣＩフォーマット内の対応するＣＳＩリクエストを有する下りリンクサブフレームにリンクされたＣＳＩサブフレームセットの要素である。）
ｂ　３ＧＰＰの技術仕様書である3GPP TS36.211 V11.5.0、２０１３年１２月２０日アップロード、URL:http://www.3gpp.org/ftp/Specs/archive/36_series/36.211/36211-b50.zip（以下、「周知例２」という。）には、以下の事項が記載されている。
「4　Frame structure
Throughout this specification, unless otherwise noted, the size of various fields in the time domain is expressed as a number of time units Ts = 1/(15000×2048) seconds.」（１０ページ１−３行）
（当審仮訳：
４　フレーム構造
　この仕様書をとおして、他の注意書きがない限り、時間領域の様々なフィールドのサイズは、時間単位　Ｔｓ＝１／（１５０００×２０４８）秒として表現される。）
　上記ａの記載によれば、有効な下りリンクサブフレームは、以下の条件を満たすといえる。
　・送信モード９又は１０以外の場合、ＭＢＳＦＮサブフレームでない
　・ＤｗＰＴＳが７６８０・Ｔｓ以下の場合、ＤｗＰＴＳフィールドを含まない
　・そのＵＥにとって、構成された測定ギャップ内に収まらない
　ここで、ＤｗＰＴＳはスペシャルサブフレームの下りリンク区間であることが技術常識であるから、ここでいう有効な下りリンクサブフレームとは、有効な下りリンクサブフレーム及び有効なスペシャルサブフレームを意味することは、当業者にとって明らかである。
　さらに、上記ｂの記載によれば、Ｔｓ＝１／（１５０００×２０４８）秒である。
　したがって、「有効な下りリンクサブフレームおよび有効なスペシャルサブフレームは、以下の条件を満たすこと。
　・送信モード９又は１０以外の場合、ＭＢＳＦＮサブフレームでない、
　・ＤｗＰＴＳが７６８０／（１５０００×２０４８）秒以下の場合、ＤｗＰＴＳフィールドを含まない、
　・そのＵＥにとって、構成された測定ギャップ内に収まらない。」は、３ＧＰＰの技術仕様書にも示されているように、無線通信技術の分野において周知事項であると認められる。
ウ　対比及び判断
　本件補正発明と引用発明１とを対比すると、以下のとおりとなる。
（ア）引用発明１の「ＴＭ１−９かつＴＤＤ　ｅＩＭＴＡで構成されたＵＥ」は、本件補正発明の「端末装置」に対応し、引用発明１の「非周期的ＣＳＩ報告を行う方法」が「通信方法」であることは、当業者にとって明らかである。
　したがって、引用発明１の「ＴＭ１−９かつＴＤＤ　ｅＩＭＴＡで構成されたＵＥにより、非周期的ＣＳＩ報告を行う方法」は、本件補正発明と同様に「端末装置の通信方法」といえる。
（イ）ＴＤＤ　ｅＩＭＴＡにおいて、サブフレームがスタティックＤＬサブフレームであるか、フレキシブルＤＬサブフレームであるかは、サブフレームがスタティックサブフレームであるとの情報、フレキシブルサブフレームであるとの情報に基づくことは、技術常識であるから、引用発明１の「スタティックＤＬサブフレーム」は、スタティックサブフレームであるとの情報に基づくサブフレームであり、「フレキシブルＤＬサブフレーム」は、「スタティックＤＬサブフレーム」とは異なる、フレキシブルサブフレームであるとの情報に基づくサブフレームであることは、当業者にとって明らかである。また、引用発明１の「サブフレームセット０」、「サブフレームセット１」は、「スタティックＤＬサブフレーム」、「フレキシブルＤＬサブフレーム」が属するサブフレームセットといえる。してみると、引用発明１の「サブフレームセット０」、「サブフレームセット１」を、「第１の情報に基づくサブフレームが属する第１のサブフレームセット」、「第２の情報に基づくサブフレームが属する第２のサブフレームセット」と称することは任意である。さらに、引用発明１の「スタティックＤＬサブフレームがサブフレームセット０であり、フレキシブルＤＬサブフレームがサブフレームセット１であるとの２つのサブフレームセットの情報」は、２つのサブフレームセットの設定を示す情報であるから、２つのサブフレームセットに関する設定情報に含まれる。
　したがって、引用発明１の「スタティックＤＬサブフレームがサブフレームセット０であり、フレキシブルＤＬサブフレームがサブフレームセット１であるとの２つのサブフレームセットの情報を受信」することは、本件補正発明の「第１の情報に基づくサブフレームが属する第１のサブフレームセットと、前記サブフレームとは異なる第２の情報に基づくサブフレームが属する第２のサブフレームセットとの２つのサブフレームセットに関する設定情報を受信」することに含まれる。
（ウ）引用発明１の「報告されるＣＳＩ測定サブフレームセットを示すＣＳＩ要求」は、「スタティックＤＬサブフレームがサブフレームセット０であり、フレキシブルＤＬサブフレームがサブフレームセット１であるとの２つのサブフレームセットの情報」に基づいて設定された２つのサブフレームセットのうちの何れかにおけるＣＳＩ（Ｃｈａｎｎｅｌ　Ｓｔａｔｅ　Ｉｎｆｏｒｍａｔｉｏｎ）の報告を要求することが当業者にとって明らかであるから、引用発明１の「報告されるＣＳＩ測定サブフレームセットを示すＣＳＩ要求」は、本件補正発明の「前記設定情報に基づいて設定された前記２つのサブフレームセットのうちの何れかにおけるチャネル状態情報の報告要求」に含まれる。また、引用発明１の「ＵＬグラント」は、下りリンク制御情報に含まれるものであることが技術常識であるから、本件補正発明の「下りリンク制御情報」に含まれる。
　引用発明１の「ＣＳＩ参照リソース」は、本件補正発明の「チャネル状態情報参照リソース」に相当する。
　したがって、引用発明１の「報告されるＣＳＩ測定サブフレームセットを示すＣＳＩ要求を含むＵＬグラントが検出された場合には、ＣＳＩ参照リソースから導出されるＣＳＩ報告をサブフレームｎで送信」することは、本件補正発明の「前記設定情報に基づいて設定された前記２つのサブフレームセットのうちの何れかにおけるチャネル状態情報の報告要求を含む下りリンク制御情報が検出された場合には、チャネル状態情報参照リソースから導出される前記チャネル状態情報をサブフレームｎで送信」することに含まれる。
（エ）引用発明１の「前記ＣＳＩ参照リソースは、１つの有効な下りリンクサブフレームｎ−ｎＣＱＩ，ｒｅｆで定義され」ることは、本件補正発明の「前記チャネル状態情報参照リソースは、１つの下りリンクサブフレーム（ｎ−ｎＣＱＩ　ｒｅｆ）または１つのスペシャルサブフレーム（ｎ−ｎＣＱＩ　ｒｅｆ）で定義され」ることに含まれる。
　ここで、本件補正発明の「１つの下りリンクサブフレーム（ｎ−ｎＣＱＩ　ｒｅｆ）」と「１つのスペシャルサブフレーム（ｎ−ｎＣＱＩ　ｒｅｆ）」とは、それぞれ択一的な選択肢であるから、引用発明１が「１つのスペシャルサブフレーム（ｎ−ｎＣＱＩ　ｒｅｆ）」との事項を有しないことは、相違点とはならない。
　以上のことから、本件補正発明と引用発明１との一致点及び相違点は、次のとおりである。
（一致点）
「　端末装置の通信方法であって、
　第１の情報に基づくサブフレームが属する第１のサブフレームセットと、前記サブフレームとは異なる第２の情報に基づくサブフレームが属する第２のサブフレームセットとの２つのサブフレームセットに関する設定情報を受信し、
　前記設定情報に基づいて設定された前記２つのサブフレームセットのうちの何れかにおけるチャネル状態情報の報告要求を含む下りリンク制御情報が検出された場合には、チャネル状態情報参照リソースから導出される前記チャネル状態情報をサブフレームｎで送信し、
　前記チャネル状態情報参照リソースは、１つの下りリンクサブフレーム（ｎ−ｎＣＱＩ　ｒｅｆ）で定義される、
通信方法。」
（相違点１）
　本件補正発明は、「前記２つのサブフレームセットが設定された場合において、前記ｎＣＱＩ　ｒｅｆの値は、サブフレーム（ｎ−ｎＣＱＩ　ｒｅｆ）が有効な下りリンクサブフレームまたは有効なスペシャルサブフレームとして定義される場合において４以上で最小の値であり、前記サブフレーム（ｎ−ｎＣＱＩ　ｒｅｆ）は前記下りリンク制御情報が検出されたサブフレーム以降のサブフレームであり」との発明特定事項を有するのに対して、引用発明１は、「２つのサブフレームセット」が設定された場合における「方法」であって、さらにＣＳＩ参照リソースが有効な下りリンクサブフレームｎ−ｎＣＱＩ，ｒｅｆとして定義されるから、２つのサブフレームセットが設定された場合において、サブフレームｎ−ｎＣＱＩ，ｒｅｆが有効な下りリンクサブフレームとして定義される場合における「方法」であるものの、ｎＣＱＩ　ｒｅｆの値は、４以上で最小の値であり、サブフレーム（ｎ−ｎＣＱＩ　ｒｅｆ）は下りリンク制御情報が検出されたサブフレーム以降のサブフレームでない点
（相違点２）
　本件補正発明は、「前記有効な下りリンクサブフレームおよび前記有効なスペシャルサブフレームは、以下の条件を少なくとも満たす：
(i)送信モード９および１０以外の送信モードにおいて、ＭＢＳＦＮサブフレームではない；
(ii)7680/(15000×2048)秒と同じ、または、それより短い長さのＤｗＰＴＳフィールドを含まない；
(iii)前記端末装置に対して設定された測定ギャップに含まれない；および
(iv)前記チャネル状態情報の報告に対応するサブフレームセットの要素である」との発明特定事項を有するのに対して、引用発明１の「有効な下りリンクサブフレーム」は、当該発明特定事項における条件を少なくとも満たすことが明らかでない点。
　上記相違点について検討する。
（相違点１について）
　上記「イ」の「（イ）」で認定したとおり、
「　ＴＭ１−９かつＴＤＤ　ｅＩＭＴＡで構成されたＵＥの場合、深刻な電力消費問題を引き起こさないように、ＣＳＩ参照リソースをサブフレームｎー４より遅くなく、非周期的ＣＳＩトリガーを含むサブフレームより早くなく、トリガーされたＣＳＩサブフレームセットに関連する最新のサブフレームの有効なＤＬサブフレームとする、
非周期的ＣＳＩ測定及び報告を行う方法。」との引用発明２が公知である。
　引用発明１と引用発明２とは、いずれもＴＭ１−９かつＴＤＤ　ｅＩＭＴＡで構成されたＵＥの非周期的ＣＳＩ報告を行う方法であり、また、深刻な電力消費問題を引き起こさないようにすることは、当業者が当然に考慮すべき一般的な課題であるから、引用発明１に引用発明２を組み合わせることに格別の困難性はなく、阻害要因も見出せない。
　そうすると、引用発明１に引用発明２を組み合わせ、「有効な下りリンクサブフレームｎ−ｎＣＱＩ，ｒｅｆ」をサブフレームｎ−４より遅くなく、ＣＳＩ要求を含むＵＬグラントが検出されたサブフレームより早くない最新のサブフレームとすること、すなわち、ｎＣＱＩ，ｒｅｆの値が４以上で最小の値であり、サブフレームｎ−ｎＣＱＩ，ｒｅｆがＵＬグラントが検出されたサブフレーム以降のサブフレームとすることは、当業者が適宜なし得たことである。
（相違点２について）
　引用発明１のＣＳＩ参照リソースは、「１つの有効な下りリンクサブフレームｎ−ｎＣＱＩ，ｒｅｆで定義され」、「各ＣＳＩ報告に対応するサブフレームセットに配置される」から、各ＣＳＩ報告に対応するサブフレームセットに配置されるとの条件、すなわち各チャネル状態情報の報告に対応するサブフレームセットの要素であるとの条件を、ＣＳＩ参照リソースの条件とするか、有効な下りリンクサブフレームの条件とするかは、実質的な差がなく、任意である。
　また、上記「イ」の「（ウ）」で認定したとおり、「有効な下りリンクサブフレームおよび有効なスペシャルサブフレームは、以下の条件を満たすこと。
　・送信モード９又は１０以外の場合、ＭＢＳＦＮサブフレームでない、
　・ＤｗＰＴＳが７６８０／（１５０００×２０４８）秒以下の場合、ＤｗＰＴＳフィールドを含まない、
　・そのＵＥにとって、構成された測定ギャップ内に収まらない。」は、周知事項である。
　したがって、引用発明１の「有効な下りリンクサブフレーム」の条件として、各ＣＳＩ報告に対応するサブフレームセットに配置されるとの条件及び上記周知事項の条件を含むようにすることは、当業者が適宜なし得ることに過ぎない。
　よって、本件補正発明は、引用発明１、引用発明２、周知事項に基づいて当業者が容易に発明をすることができたものである。
　そして、本件補正発明が奏する効果も、当業者が引用発明１、引用発明２、周知事項から容易に予想できる範囲内のものである。
　そうすると、本件補正発明は、引用発明１、引用発明２、周知事項に基づいて当業者が容易に発明をすることができたものであるから、特許法第２９条第２項の規定により、特許出願の際独立して特許を受けることができないものである。
３．本件補正についてのむすび
　以上のとおり、本件補正は、特許法第１７条の２第６項において準用する同法第１２６条７項の規定に違反するので、同法第１５９条１項の規定において読み替えて準用する同法第５３条１項の規定により却下すべきものである。
　よって、上記補正の却下の決定の結論のとおり決定する。
第３　本願発明について
１．本願発明
　本件補正は、上記のとおり却下されたので、本願の請求項に係る発明は、平成２９年１１月２０日に提出された手続補正書により補正された特許請求の範囲の請求項１ないし９に記載された事項により特定されるものであるところ、請求項４に係る発明は、上記「第２」の「１．」で示した本願発明のとおりのものと認める。
２．原査定の拒絶の理由
　原査定の拒絶の理由の概要は、
「１．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」というものであり、請求項４に対して、引用例１、引用例２が引用されている。
３．引用発明等
　引用発明１及び引用発明２は、上記「第２」の「２．」の「（２）」の「イ」で認定したとおりのものと認める。
４．対比及び判断
　本願発明は、本件補正発明から、本件補正により追加された発明特定事項を削除したものである。
　そうすると、本願発明と引用発明１との間には、上記「第２」の「２．」の「（２）」の「ウ」で示した「（相違点１）」のみが存在する。そして、上記「第２」の「２．」の「（２）」の「ウ」で示した「（相違点１について）」の検討のとおり、本願発明の「（相違点１）」に係る構成は、引用発明１及び引用発明２から、当業者が適宜なし得ることである。
　よって、本願発明は、引用発明１及び引用発明２に基づいて当業者が容易に発明をすることができたものである。
第４　むすび
　以上のとおり、本願発明は、特許法第２９条第２項の規定により特許を受けることができないから、他の請求項について検討するまでもなく、拒絶すべきものである。
　よって、結論のとおり審決する。